(57)【要約】　　　（修正有）【課題】投入後は、目標の水深で撒き餌の散布と、巻装させたハリスの解離が容易にできるようになされた糸巻き付き反転カゴを構成するとともに、操作性を高めること。【解決手段】枢軸２が軸部２′に嵌着したる軸挿部５の係合部を捻設した捻部３の延長を弓状に曲設した湾曲部４を設けてある。上記軸挿部５が空隙１２を有する覆体７の頂部を摺動自在に挿通させて、捻部３が係合管端部９′に係合させるように湾曲端部４′に糸巻き部２２を嵌設させた蓋体２０を自在に取着させてある。上記軸挿部５に重錘３０の星形の係合孔３１を摺動自在に嵌合させることによって、重錘３０が覆体７の頂部に自在に係止させられるように形成させている。。したがって、糸巻き付き反転カゴ１を投入するときには、覆体の開口１９に自在に嵌入させた糸巻き部２２を回転させることにより、ハリス３２を糸巻き部２２に巻装させられることができるように構成させている。【選択図】図１
2004141137.tif 000002
【特許請求の範囲】
【請求項１】
枢軸２が軸部２′に嵌着したる軸挿部５の係合部を捻設した捻部３の延長を弓状に曲設した湾曲部４を設けてある。上記軸挿部５が、空隙１２を有する覆体７の頂部を摺動自在に挿通させ、且つ、重錘３０の星形の係合孔３１も自在に挿通して、重錘３０が覆体７の頂部に自在に係合する。上記湾曲部４の端部４′に取着したる蓋体２０の糸巻き部２２が覆体の開口１９に回転自在に嵌入させて糸巻き部２２を回転させる事によりハリス３２を糸巻き部２２に巻装させる事が出来るようにした事が特徴とする糸巻き付き反転カゴ。
【発明の詳細な説明】
【０００１】
【産業上の利用分野】
本発明は、糸巻き付き反転カゴに係り、特に、投入時には投げ易く、目標とする水深で、刺餌と撒き餌を的確に散布させる事ができて、撤き餌による集魚効果を有効に魚を釣ろうとする事に用いて好適なものである。
【０００２】
【従来の技術】
周知の通り、釣りをする時に撤き餌をして釣る場合が多いのであつて、このような時に用いられるのが糸巻き付き反転カゴであり、従来の撤き餌カゴとしては、糸巻き付き撒き餌篭が知られている。
【０００３】
上記糸巻き付き撤き餌篭は、円錐形の篭で、頂部に浮部を設けて、中心部を自在に挿通したる軸の上端部に錘りを固着して、下端部に逆独楽形の蓋を取着したる蓋の縁部の外周に溝を設けてハリスを巻き付けられるように構成されている。
【０００４】
これを使用する場合には、篭の開口より撤き餌を収容して、次に、ハリスを蓋の縁部の溝に巻き付けて、針に餌を付けて、カゴの開口より収容したる撤き餌の中に餌を付けた針を混入させて、篭の開口を蓋で塞ぐ様にする。したがつて、蓋は軸に直結されているので、軸の端部に固着させた錘りを持つて吊り下げると、軸を挿通したるカゴが、収容したる撤き餌に覆いかぶさる様に開口を蓋に自在に係合させて係止する様になされている。因に、道糸は錘りを固着した端部に取着させてあり、ハリスは蓋の裏面の中央に取着した環に結び付けてある。
【０００５】
上記糸巻き付き撤き餌篭を投入すると、着水に伴なつて、錘りの重みで錘りを下に、蓋を上に反転させて、篭の開口を蓋で塞いだまま沈降して行く。目標水深に到達すると浮き下の道糸が伸び切つた時点で、道糸を取着して錘りを固着した軸の端部を支点にして、撤き餌を収容した糸巻き付き撤き餌篭自体の重さにより反転する。したがつて、浮部を有する篭は、軸を摺動自在に浮上して、軸の端部に固着した錘りに係止する事に伴なつて、篭に収容したる撤き餌と餌を付けた針を伴に水中に散布させることができる様に構成されて、蓋に設けた溝に巻き付けたハリスも容易に解れさせられる様に形成されている。
【０００６】
【発明の解決しようとする課題】
上記糸巻き付き撤き餌篭の場合は、篭の頂部を摺動自在に挿通したる軸の端部に錘りを固着させて、片方の端部に取着した蓋が、篭の開口と自在に係合させられる様になされている。したがつて、投入する時、篭に撤き餌を収容させて篭の開口を蓋で塞ぐ事は容易であるが、確りした掛止めの何等かの工夫がなされていないので、空中で風に煽られて蓋が離れて、撤き餌を空中散乱させたり、着水時のショックにより蓋が離れて水面に撤き餌を散乱させることもあつた。また、ハリスを巻き付けた蓋の縁部の溝が深くて幅が狭いため、ハリスの解離は容易にできなかった。また、篭の中心部に軸が挿通しているので餌をつけた針が軸に絡み付くような不都合もあつた。
【０００７】
この発明は、上記した問題を解消するためになされたものであり、その目的とするところは、上記糸巻き付き撤き餌篭の投入時において、撤き餌を空中で散乱させたり、着水時のショツクによつて、撤き餌を水面に散乱させたりするような不都合を有効に防止することができる。したがつて、投入後は、目標の水深で撤き餌の散布と、巻装させたハリスの解離が容易にできるようになされた糸巻き付き反転カゴを構成するとともに、操作性を高めることを目的とする。
【０００８】
【課題を解決するための手段】
本発明は、上述の問題点を解決するために次の技術的手段を有する。すなわち、実施例に対応する添付図面に使用した符号を用いて説明する糸巻き付き反転カゴ１において、枢軸２が軸部２′に嵌設したる軸挿部５の係合部を捻設した捻部３の延長を弓状に曲設した湾曲部４を設けてある。上記軸挿部５が、空隙１２を有する覆体７の頂部を摺動自在に挿通させて、且つ、重錘３０の星形の係合孔３１も自在に挿通して、重錘３０が覆体７の頂部に自在に係合する。
上記湾曲部４の端部４′に取着したる蓋体２０の糸巻き部２２が覆体の開口１９に回転自在に嵌入させて、糸巻き部２２を回転させることにより、ハリス３２を糸巻き部２２に巻装させられる事ができるようになされたことが特徴とする。
【０００９】
【作用】
この発明の糸巻き付き反転カゴ１は、上記技術手段によりなるので、投入時には、先ず、ハリス３２に取着した釣り針３４に餌３５をつけておく、ハリス３２は、湾曲端部４′に取着した連結環２９に取着されてあり、その連結環２９は、蓋部２０′の蓋孔２７を挿着させている。
次に、上記ハリス３２を糸巻き部２２の欠損部２５を係通さて、糸巻き部２２の外部に引き出しておく、そして、覆体の開口１９から撤き餌３６を覆体７内に略半分収容させて内頂部の方にほどよく詰めておく。
次に、蓋部２０′の縁部２１を持つて糸巻き部２２を覆体の開口１９に回転自在に嵌入させる。その時ハリス３２は切欠溝１６を係通させて覆体７の外部に引き出しておく、したがって、上記糸巻き部２２を覆体の開口１９に嵌入させる時は、蓋体２０を端部４′に取着させた湾曲部４が覆体７の空隙１２を係通させる様になされている。
上記引き出しておいたハリス３２は、糸巻き部２２を嵌設した蓋部２０′の縁部２１を持つて回転させて、糸巻き部２２にハリス３２を巻装させることができる。このようにしてハリス３２の巻装が終了すると、餌３５を付けた釣り針３４即ち、刺餌３８の処理の方法は、開口１７の縁に蝶着させた蓋１３を開き、開口１７より既に収容させてある撤き餌３６の中に刺餌３８を混入させて、更に少量の撤き餌３６を入れて、開口１７を蓋１３で閉じて、止め金１５によつて蓋１３を掛止することができる。
【００１０】
次に、枢軸端部２”に道糸３３を取着させて、道糸３３によつて糸巻き付き反転カゴ１を吊り下げると、覆体の開口１９に嵌入させてハリス３２を巻装させた糸巻き部２２を嵌設したる蓋部２０′の縁部２１が覆体の開口端１８と自在に嵌合させられる様に支持する一体の枢軸２の湾曲端部４′が蓋体２０に取着させて、湾曲部４が、撤き餌３６を収容させた覆体７を抱き支える様に空隙１２を係通させて、捻部３を、係合管端部９′に自在に係止させている。
したがつて、重錘３０は星形の係合孔３１を、上記軸挿部５に自在に嵌合させて、覆体７の頂部に自在に係止させられる様になされている。
これにより投入準備が完了する。後は、目標に向かって投入すればよい。
【００１１】
【実施例】
次に、添付図面に従つて本発明の好適な実施例を詳述する。
図１は、糸巻き付き反転カゴの一例の斜視図である。
図２は、糸巻き付き反転カゴの一例の一部を切り欠いた斜視図である。
図中１は、糸巻き付き反転カゴ、２は枢軸、２′は軸部で軸挿部５を設けてある。３は捻部、４は湾曲部で、上記四要点を一体に形成させた枢軸２は、軸部２′に円軸状の軸挿部５を嵌着させた係合部を、コイルバネ状に捻つて設けた捻部３の延長部を弓形に張つた湾曲部４が設けられている。その部材としては弾性の金属線を用いられている。但し、軸挿部５の部材は金属に限らない。因に、大きな魚を釣ったときに用いる従来のクションゴムの代わりとしては、捻部３の弾性を有する湾曲部４が有効なものである。２”は道糸３３を連結環によって取着する枢軸端部、４′は蓋体２０の蓋孔２７を挿着した連結環２９を取着した湾曲端部、６は軸部２′に係合する軸挿端部、６′は捻部３に係合する軸挿端部、７は略円錐形を成す覆体、８は覆体７の内頂部に穿設した係合管、９は覆体７の頂部に係わる係合管端部、９′は捻部３と係合する係合管端部、１０は覆体７の内頂部に設けてその中心部を挿貫する係合管８を有する浮力のある浮室、１１は覆体７や蓋体２０に穿孔した通水孔、１２は覆体７の一部を切り欠いて設けた空隙、１３は覆体７の一部を切除して設けた開口１７を閉じる為に設けた蓋、１４は蓋１３を開閉自在に蝶着した蝶番、１５は開口１７の縁部に取り付けて閉じた蓋を掛止する止め金、１６は蓋１３と開口１７の相対部を切り欠いた切欠溝、１８は覆体の裾回りの端部を示す覆体の開口端、１９は、覆体の裾回りの内側の空間を示す覆体の開口である。
【００１２】
上記したように、実施例の覆体７の構成は、覆体７の内頂部に設けた浮室１０の中心部に係合管８を穿設した略円錐形を成す覆体７の側面の一部を切除させて、開口１７と空隙１２を設けてあり、開口１７の縁部に蝶番１４により開閉自在に蝶着させた蓋１３で開口１７を閉じたときに、蓋１３を止め金１５によって掛止させるようになされている。ちなみに、止め金１５の形状はコの字形を成し、コの字のたてぼうを開口１７の縁に嵌着させて、よこ二ぼうで蓋１３を挟持させて掛止させられる。
したがって、上記覆体７の係合管８は軸部２′に嵌着させた軸挿部５が摺動自在に挿通させて、空隙１２に湾曲部４を係通させることにより捻部３が係合管端部９′に自在に係合させられるようになされている。
上記覆体７が形成するその構成部材としては合成樹脂または金属が用いられている。
２０はドーム形で内輪に糸巻き部２２を嵌設させた蓋体、２０′は蓋体２０のドーム形の蓋部、２１は蓋部２０′の縁に帯設した輪状の縁部、２１′は縁部２１に穿孔しておもり２８を嵌める事ができる縁部の孔、２２は蓋体２０に嵌設して欠損部２５を有する円筒形の糸巻き部、２３は突帯２６を帯着した糸巻き部の開口端、２４は糸巻きの開口端の内側の空間を示す糸巻きの開口、２５は糸巻き部に設けた山形の欠損部、２６は糸巻きの開口端に帯着させて角を削減させた突帯、２７は蓋体２０の中心部を穿孔して設けた蓋孔、２８は縁部の孔２１′に嵌めて蓋体２０の水中作動の調整に用いるおもり、２９は枢軸端部２”と道糸３３を連結させたり、湾曲端部４′とハリスを連結させて、しかも、蓋孔２７に挿着させて蓋体２０を湾曲端部を４′に連結させることができる連結環、３０は重錘、３１は重錘３０に穿設した多角形をなす星形の係合孔、３１′は多角形の星形の係合孔３１の頂角の内角溝、３２はハリス、３３は道糸、３４は釣り針、３５は釣り針に刺す餌、３６は撤き餌、３７はリール竿、３８は釣り針に餌をつけた刺餌。
【００１３】
上記蓋体２０の構成は、ドーム形の蓋部２０′の内輪に山形の欠損部２５を有する円筒形の糸巻き部２２を嵌設させてその糸巻きの開口端２３の外周に帯着させた突帯２６を有する蓋体２０の蓋部２０′の中心部に穿孔させた蓋孔２７に挿着させてハリス３２を取着した連結環２９に湾曲端部４′を連結させて形成されている蓋体２０の、その構成部材としては合成樹脂または金属が用いられている。
【００１４】
上記糸巻き付き反転カゴ１の基本的構成は、枢軸２が軸部２′に嵌着させた軸挿部５が空隙１２と開口１７に開閉自在に蝶着させた蓋１３を有する覆体７の係合管８を摺動自在に挿通させて、湾曲部４の端部４′に糸巻き部２２を嵌設させた蓋体２０を自在に取着させてある。
上記軸挿部５に、図７に示す重錘３０の星形の係合孔３１を自在に嵌合させられることにより重錘３０が覆体７の頂部に自在に係止させられるように形成させている。
【００１５】
上記実施例にもとずき詳述した要部の構成によって形成された糸巻き付き反転カゴ１を投入する時においては、ハリス３２も刺餌３８も撤き餌３６も共に覆体７の中に収容されているので、ハリス３２が外部に絡むような不都合もなく非常に投げやすく、投入後、沈降中に小魚による刺餌３８の餌さ取りの心配することもなく、目標水深で的確に撒き餌３６を散布させながら刺餌３８を取着させたハリス３２をスムーズに解離させることができて、撒き餌３６による集魚効果を有効に魚を釣る事ができる。
【００１６】
したがって、上記本実施例の糸巻き付き反転カゴ１を使用するときは、図３に示すように、先ず、連結環２９に取着させたハリス３２を糸巻き部２２の欠損部２５を係通させて糸巻き部２２の外部に引き出して釣り針３４に餌３５をつけておく。
次に、覆体の開口１９より撤き餌３６を覆体７の内に略半分収容させて、縁部２１を持って糸巻き部２２を覆体の開口１９に回転自在に嵌入させて、縁部２１を回転させることによって、糸巻き部２２が回転して、ハリス３２を糸巻き部２２に巻装させることが出来る。
そのとき、ハリス３２は切欠溝１６を係通させて覆体７の外部に引き出しておいて、少し張り気味にして糸巻き部２２に幅広く万遍なくハリス３２を巻装させることが出来る。
尚、ハリス３２を巻き取るときに糸巻き部２２を回転させる方向は、リールの回転によって生じる道糸３３の縒りが戻る方向、即ち、道糸３３をリールに巻き取る方向と同じ方向に巻装させることにより、水中においても、道糸３３の縒り戻しが、ハリス３２を巻装させた糸巻き部２２に緩やかな回転を促して、巻装させたハリス３２を、よりスムーズに解離させられることができるようになされている。
【００１７】
したがって、上記糸巻き部２２を覆体の開口１９に嵌入させる時は、蓋体２０を湾曲端部４′に取着させた湾曲部４が覆体７に設けた空隙１２を係通させることにより、糸巻き部２２が覆体の開口１９に回転摺動自在に嵌入させられることが出来るようになされている。
【００１８】
しかも、覆体の開口１９に自在に嵌入させてハリス３２を巻装させた糸巻き部２２の開口端２３の外周に帯設させた突帯２６が、覆体７の内壁に自在に係合させることにより、覆体７の内で糸巻き部２２に巻装させたハリス３２の離脱を有効に防止させる事が出来る。
【００１９】
このようにして、糸巻き部２２に巻装させたハリス３２に結び付けた釣り針に餌３５を付けた、即ち、刺餌３８を、覆体７の側面に設けた開口１７から、既に収容させてあった撤き餌３６の中に混入させて、更に少量の撤き餌３６を加えて、蓋１３で開口１７を閉ざして、止め金１５を用いて蓋１３を掛止させられるようになされている。
このように、ハリス３２も刺餌３８も撤き餌３６も共に、覆体７の中に収容されて確保させてあるので、水中においても外部からの何等かの不都合が生じることはない。
【００２０】
したがって、枢軸端部２”に取着させた道糸３３によって、本実施例の糸巻き付き反転カゴ１を吊り下げると、上記覆体７の頂部に重錘３０が係合させるように、覆体７の係合管８と共に重錘の星形の係合孔３１を摺動自在に挿貫させたる軸挿部５の軸挿端部６′に係合する捻部３が係合管端部９′に自在に係止させて、湾曲部４が覆体７に設けた空隙１２を係通させることにより、覆体の開口１９に自在に嵌入させたハリス３２を巻装させた糸巻き部２２を嵌設させた蓋体２０に端部４′を取着させた湾曲部４の弾性によって、嵌入させた糸巻き部２２を、より強く支持させられるように、蓋部２０′の縁部２１と覆体の開口端１８がより強く嵌合させられるようになされている。これで、投入準備が完了するので、次に、図４の使用状態説明図に示すような、リール竿３７を用いて目標に向かって投入すればよい。
【００２１】
上記糸巻き付き反転カゴ１を投入すると、図５に示すように、着水と同時に、重錘３０の重みにより、重錘３０を下方に向けて反転させて、覆体７の頂部に係止させていた重錘３０が、上記軸挿部５を摺動自在に離脱して、軸部２′に移動したる重錘３０は星形の係合孔３１の内角溝３１′を軸部２′に自在に係合させて枢軸端部２”に自在に係止させられるようになされている。
このように、上記糸巻き付き反転カゴ１は、蓋体２０を嵌合させた覆体の開口端１８を上に向けて沈降して行く。
しかも、ハリス３２も、撤き餌３６も、刺餌３８もすべてが、覆体７の中に収容させてあるので、外部に係わるような不都合の生じることはない。
【００２２】
したがって、うき下の道糸３３が伸びきった状態では、道糸３３を取着して、重錘３０を係止させている枢軸端部２”を支点にして、上記糸巻き付き反転カゴ１は自体の重さによって、弧を描くように反転を始めて、弧が中点を過ぎると、枢軸端部２”に係止させていた重錘３０は星形の係合孔３１の内角溝３１′が係合する軸部２′を摺動自在に移動させて、図６に示すように、軸部２′に嵌着させた軸挿部５の軸挿端部６に重錘３０の星形の係合孔３１の内角溝３１′を係止させることにより、浮室１０を有する覆体７は係合管８を挿通する軸挿部５を浮室１０の浮力によって浮上させて、軸挿端部６に係止させている重錘３０に覆体７の頂部を係触させて係止させることにより、覆体の開口１９に嵌入させていた蓋体２０に嵌設したハリス３２を巻装させた糸巻き部２２が覆体の開口１９を離脱して、糸巻き開口端２３を下に向けて、巻装させたハリス３２をスムーズに解離させながら、覆体７に収容させていた撒き餌３６の散乱の中に刺餌３８を放流させて、撤き餌３６による集魚効果を有効に魚を釣ろうとする要望を良好に満たすことが出来る。
しかも、ハリス３２は、リールの回転によって生じる道糸３３の縒れが戻る方向に巻装させてあるので、その縒り戻りが、本実施例の糸巻き付き反転カゴ１を、緩やかに回転させて、巻装させたハリス３２も糸巻き部２２の緩やかな回転によって、よりスムーズに解離させることが出来る。
以上、実施例について説明したが、この発明は以下の実施態様をとることができる。
（１）図１で説明した止め金１５は、その種類を限定されません。
（２）図２で説明した連結環２９は、その種類を限定されません。
（３）図７で説明した重錘３０の多角形を有する星形の係合孔３１は、その角数を限定されません。
【００２３】
【発明の効果】
この発明は上述したように、枢軸２の軸部２′に嵌着させた軸挿部５が、空隙１２を有する覆体７の係合管８を摺動自在に挿通させて、湾曲端部４′に糸巻き部２２を嵌設させた蓋体２０を自在に取着させてある。上記軸挿部５に重錘３０の星形の係合孔３１を摺動自在に嵌合させることによって重錘３０が覆体７の頂部に係合自在に係止させられるようになされている。
上記糸巻き付き反転カゴ１を投入する時には、撒き餌３６を収容させた覆体の開口１９に嵌入させた糸巻き部２２の縁部２１を回転させることにより、糸巻き部２２にハリス３２を巻装させられるようになされている。
しかも、ハリス３２、撒き餌３６、刺餌３８のすべてが覆体７内に確保させてあるので、投入時、投入後においても外部にかかわる不都合の生じる事はない。
したがって、目標水深においては、刺餌３８と撤き餌３６を同時に放流させて巻装させたハリス３２をスムーズに解離させられる効果を有する。
【図面の簡単な説明】
【図１】糸巻き付き反転カゴ一例の斜視図。
【図２】糸巻き付き反転カゴ一例の一部を切り欠いた斜視図。
【図３】糸巻き付き反転カゴ一例の一部を切り欠いた投入時の作動説明図。
【図４】糸巻き付き反転カゴの使用状態説明図。
【図５】糸巻き付き反転カゴ一例の一部を切り欠いた投入後の作動説明図。
【図６】糸巻き付き反転カゴ一例の一部を切り欠いた作動説明図。
【図７】糸巻き付き反転カゴ一例の重錘の星形の係合孔の平面図。
【符号の説明】
１…糸巻き付き反転カゴ　　２…枢軸　　　　　　　　２′…軸部
２”…枢軸端部　　　　　　３…捻部　　　　　　　　４…湾曲部
４′…湾曲端部　　　　　　５…軸挿部　　　　　　　６、６′…軸挿端部
７…覆体　　　　　　　　　８…覆体の係合管　　　　９、９′…係合管端部
１０…浮室　　　　　　　　１１…通水孔　　　　　　１２…空隙
１３…蓋　　　　　　　　　１４…蝶番　　　　　　　１５…止め金
１６…切欠溝　　　　　　　１７…開口　　　　　　　１８…覆体の開口端
１９…覆体の開口　　　　　２０…蓋体　　　　　　　２０′…蓋体の蓋部
２１…縁部　　　　　　　　２１′…縁部の孔　　　　２２…糸巻き部
２３…糸巻き部の開口端　　２４…糸巻き部の開口　　２５…欠損部
２６…突帯　　　　　　　　２７…蓋孔　　　　　　　２８…おもり
２９…連結環　　　　　　　３０…重錘　　　　　　　３１…星形の係合孔
３１′…内角溝　　　　　　３２…ハリス　　　　　　３３…道糸
３４…釣り針　　　　　　　３５…餌　　　　　　　　３６…撤き餌
３７…リール竿　　　　　　３８…刺餌
【図１】
2004141137.tif 000003
【図２】
2004141137.tif 000004
【図３】
2004141137.tif 000005
【図４】
2004141137.tif 000006
【図７】
2004141137.tif 000007
【図５】
2004141137.tif 000008
【図６】
2004141137.tif 000009